(57)【要約】【課題】  積み重ねられた食器の摺接移動等によって引張力が加わったときでも、印刷層への影響を抑制して、シートとしての装飾機能を長期間に亘って良好に維持する。【解決手段】  熱可塑性樹脂を含む少なくとも二層１、２からなり、上面側の樹脂層１が、下面に印刷層３を形成してある透明のポリプロピレンフィルムから構成されている。【選択図】        図１
0003102914.tif 000002
【実用新案登録請求の範囲】
【請求項１】
熱可塑性樹脂を含む少なくとも二層からなる家庭用シートであって、
上面側の樹脂層が、下面に印刷層を形成してある透明のポリプロピレンフィルムから構成されている家庭用シート。
【請求項２】
前記ポリプロピレンフィルムが無延伸で構成されている請求項１記載の家庭用シート。
【請求項３】
前記ポリプロピレンフィルムが少なくとも一軸方向に延伸されている請求項１記載の家庭用シート。
【請求項４】
前記下面側の樹脂層が発泡樹脂シートから構成されている請求項１、２又は３記載の家庭用シート。
【考案の詳細な説明】
【技術分野】
【０００１】
本考案は、食器用棚や押入れ、引き出し等に敷物として用いられる家庭用シートで、詳しくは、熱可塑性樹脂を含む少なくとも二層からなる家庭用シートに関する。
【背景技術】
【０００２】
従来の家庭用シートでは、上面側の樹脂層が、下面に印刷層を形成してある透明の低密度ポリエチレンフィルムから構成されているとともに、下面側の樹脂層が、発泡ポリエチレンフィルムから構成されている。
【考案の開示】
【考案が解決しようとする課題】
【０００３】
従来の家庭用シートでは、低密度ポリエチレンフィルムの下面の印刷層に写真等の画像を印刷したのち、低密度ポリエチレンフィルムを発泡ポリエチレンフィルムの上面に貼り合せる方法が採られていて、上層の低密度ポリエチレンフィルムが印刷層に対する保護層として機能しているが、低密度ポリエチレンフィルムは引張降伏強度、引張破談強度が小さいため、積み重ねられた食器の摺接移動等によって引張力が加わったとき、上層の低密度ポリエチレンフィルムが簡単に伸び易く、その結果、低密度ポリエチレンフィルムの下面に形成されている印刷層も伸ばされるため、印刷された画像に歪みが発生し、特に、写真画像の場合では歪みが顕著に表れることになり、シートとしての装飾機能が喪失する不都合がある。
【０００４】
本考案は、上述の実状に鑑みて為されたものであって、その主たる課題は、積み重ねられた食器の摺接移動等によって引張力が加わったときでも、印刷層への影響を抑制して、シートとしての装飾機能を長期間に亘って良好に維持することのできる家庭用シートを提供する点にある。
【課題を解決するための手段】
【０００５】
本考案による第１の特徴構成は、熱可塑性樹脂を含む少なくとも二層からなる家庭用シートであって、
上面側の樹脂層が、下面に印刷層を形成してある透明のポリプロピレンフィルムから構成されている点にある。
【０００６】
上記特徴構成によれば、ポリプロピレンフィルムの下面の印刷層に写真等の画像を印刷したのち、ポリプロピレンフィルムを下面側の樹脂層の上面に貼り合せる方法が採られていて、上層のポリプロピレンフィルムが印刷層に対する保護層として機能しているが、ポリプロピレンフィルムは低密度ポリエチレンフィルムに比較して引張降伏強度、引張破談強度が大きいため、積み重ねられた食器の摺接移動等によって引張力が加わったときでも、上層のポリプロピレンフィルムが伸び難く、それの下面に形成されている印刷層の伸びも抑制することができる。
【０００７】
従って、積み重ねられた食器の摺接移動等によって引張力が加わったときでも、印刷層に印刷される画像への影響を良好に抑制することができ、特に、写真画像の場合でも歪みによる影響が少なくなり、シートとしての装飾機能を長期間に亘って良好に維持することができる。
【０００８】
本考案による第２の特徴構成は、前記ポリプロピレンフィルムが無延伸で構成されている点にある。
【０００９】
上記特徴構成によれば、無延伸ポリプロピレンフィルムの弾性変形機能を利用して下面側の樹脂層に隙間無く確実、容易に接着することができるとともに、食器等の載置物に対する緩衝機能を向上することができる。
【００１０】
本考案による第３の特徴構成は、前記ポリプロピレンフィルムが少なくとも一軸方向に延伸されている点にある。
【００１１】
上記特徴構成によれば、延伸ポリプロピレンフィルムの熱収縮率が小さいという性質を利用して、印刷層に形成された画像に皺等が発生することを抑制することができる。
【００１２】
本考案による第４の特徴構成は、下面側の樹脂層が発泡樹脂シートから構成されている点にある。
【００１３】
上記特徴構成によれば、発泡樹脂シートの弾性変形機能を利用して食器等の載置物に対する緩衝機能を向上することができる。
【考案を実施するための最良の形態】
【００１４】
〔第１実施形態〕
図１は、棚用シートや押入れ用シート、引出し用シート等の家庭用シートを示し、熱可塑性樹脂の二層１、２からなり、上面側の樹脂層１は、下面に印刷層３を形成してある透明の無延伸ポリプロピレンフィルムから構成されているとともに、下面側の樹脂層２が発泡樹脂シートの一例である発泡ポリエチレンシートから構成され、更に、上面側樹脂層１である無延伸ポリプロピレンフィルムと下面側樹脂層２である無延伸ポリプロピレンフィルムとは接着層４を介してラミネートされている。
【００１５】
無延伸ポリプロピレンフィルムの形成方法としては、Ｔダイによる押出キャスト成形やインフレーション成形などがあり、また、ラミネート法としては、熱ラミネート、押出しラミネート、ドライラミネート、ホットメルトラミネート等がある。
【００１６】
また、発泡樹脂シート２としては、低密度ポリエチレン、直鎖状低密度ポリエチレン、中密度ポリエチレン、高密度ポリエチレン等のポリエチレン、アイソタクチックポリプロピレン、シンジオタクチックポリプロピレン等のポリプロピレン、ポリブテン等を挙げることができる。
【００１７】
写真、図柄、文字等を表示する印刷層３を形成する方法としては、既知のオフセット印刷、ロール印刷、グラビア印刷、スクリーン印刷などがある。
【００１８】
接着層４の形成方法としては、グラビアコール法、ロールコートなどのコーティング方法、或いは、グラビア印刷、スクリーン印刷などの印刷方法があり、接着剤としては、イソシアネート系、ウレタン系、エポキシ系、ポリエチレンイミン系、ポリアミンポリアミド系等の化学的に接着可能な官能基を有する成分をインキ種類に応じて適宜選定すると良い。
【００１９】
〔その他の実施形態〕
（１）上述の実施形態では、ポリプロピレンフィルム１として無延伸のものを用いたが、縦方向に一軸に延伸したものでも良く、また、横方向に一軸に延伸したものでも良く、更に、縦横２軸方向に延伸したものでも良い。
要するに、ポリプロピレンフィルム１における延伸の有無や延伸軸、また、それらの積層方法は制限無く組み合わせることができる。
【図面の簡単な説明】
【００２０】
【図１】本発明の家庭用シートの第１実施形態を示す断面図
【符号の説明】
【００２１】
１        上面側の樹脂層（無延伸ポリプロピレンフィルム）
２        下面側の樹脂層（発泡ポリエチレンシート）
３        印刷層
４        接着層
【図１】
0003102914.tif 000003